(57)【要約】  板状の第１電極（４）が搭載される第１ハウジング（５）を有する端子台部（２）と、ケーブル（６）の端末に設けられた板状の第２電極（７）と、第２電極（７）を収容する第２ハウジング（８）とを有するコネクタ部（３）と、を有し、両ハウジング（５，８）を嵌合させた後に、両電極（４，７）をねじ止め固定することで両電極（４，７）を電気的に接続するコネクタ（１）であって、コネクタ部（３）は、第２ハウジング（８）にスライド可能に設けられると共に、その少なくとも一部が第２ハウジング（８）に収容可能に設けられ、非収容時に第２電極（７）を覆うように配置される絶縁体からなる端子カバー（３０）を有し、端子カバー（３０）は、第１ハウジング（５）と第２ハウジング（８）とを嵌合させる際に、第１ハウジング（５）により第２ハウジング（８）内に押し込まれ収容されるように構成されている。
2016203588.tif 000002
【特許請求の範囲】
【請求項１】
板状の第１電極が搭載される第１ハウジングを有する端子台部と、  ケーブルの端末に設けられた板状の第２電極と、前記第２電極を収容する第２ハウジングとを有するコネクタ部と、を有し、  前記第１ハウジングと前記第２ハウジングとを嵌合させた後に、前記第１電極と前記第２電極とをねじ止め固定することで前記第１電極と前記第２電極とを電気的に接続するコネクタであって、  前記コネクタ部は、前記第２ハウジングにスライド可能に設けられると共に、その少なくとも一部が前記第２ハウジングに収容可能に設けられ、非収容時に前記第２電極を覆うように配置される絶縁体からなる端子カバーを有し、  前記端子カバーは、前記第１ハウジングと前記第２ハウジングとを嵌合させる際に、前記第１ハウジングにより前記第２ハウジング内に押し込まれ収容されるように構成されている、  コネクタ。
【請求項２】
前記コネクタ部は、前記第２電極を覆った状態で前記端子カバーを係止し、前記端子カバーが前記第２ハウジング内にスライドすることを規制する係止手段を有し、  前記端子台部は、前記第１ハウジングと前記第２ハウジングとを嵌合させる際に、前記係止手段による係止を解除する係止解除手段を有する、  請求項１に記載のコネクタ。
【請求項３】
前記係止手段は、前記端子カバーに外方に突出するように設けられた係止突起と、前記第２ハウジングに設けられ、前記端子カバーが前記第２電極を覆った状態で前記係止突起に係止する爪部を有するランスと、を有し、  前記係止解除手段は、前記第１ハウジングに設けられ、前記第１ハウジングと前記第２ハウジングとを嵌合させる際に、前記ランスを外方に押し上げることで、前記爪部の前記係止突起への係止を解除する係止解除片を有する、  請求項２に記載のコネクタ。
【請求項４】
前記ランスは、その先端部に、先端ほど前記端子カバーから離れるように形成された係止解除用斜面を有し、  前記係止解除片は、前記第１ハウジングと前記第２ハウジングとを嵌合させる際に、前記ランスの先端部に形成された前記係止解除用斜面に当接し、かつ、前記係止解除用斜面に沿って前記第２ハウジング内に押し込まれることで、前記ランスを外方に押し上げるように構成されている、  請求項３に記載のコネクタ。
【請求項５】
前記ランスは、前記第２ハウジングの外面よりも外方に突出しないように設けられており、  前記係止解除片は、前記第１ハウジングの外面よりも外方に突出しないように設けられている、  請求項３または４に記載のコネクタ。
【請求項６】
前記端子カバーの先端部には、外方に突出する引き出し用突起が形成され、  前記第１ハウジングには、前記引き出し用突起に係止される引き出し用係止片が形成され、  前記第１ハウジングと前記第２ハウジングとを嵌合させた後に前記嵌合を解除する際に、前記引き出し用係止片と前記引き出し用突起との係止により、前記端子カバーが前記第２ハウジング内から引き出されるように構成されている、  請求項１乃至５の何れか１項に記載のコネクタ。
【請求項７】
前記第２ハウジングは、前記第１ハウジングに固定されるフランジ部を有し、  前記端子カバーは、非収容とし前記第２電極を覆うように配置されたときに、前記フランジ部よりも嵌合方向前方に突出するように構成されている、  請求項１乃至６の何れか１項に記載のコネクタ。
【発明の詳細な説明】
【技術分野】
【０００１】  本発明は、コネクタに関する。
【背景技術】
【０００２】  従来、例えば電気自動車やハイブリッド車等において、バッテリやインバータ等の機器とケーブルとを接続する際に、機器に設けられた端子台部と、ケーブルの端末に設けられたコネクタ部とを接続し、端子台部に搭載された板状の第１電極（バスバ端子）と、コネクタ部に設けられた板状の第２電極（バスバ端子）とをねじ止め固定することで、両電極を電気的に接続するように構成した直付けタイプのコネクタが知られている（例えば、特許文献１参照）。
【先行技術文献】
【特許文献】
【０００３】
【特許文献１】特開２００２−３２４６２７号公報
【発明の概要】
【発明が解決しようとする課題】
【０００４】  ところで、上述のようなバッテリやインバータとケーブルとの接続部では大電流が流れる場合があり、作業者が直接端子等に触れると感電してしまうおそれがある。このような不具合を抑制するため、直付けタイプのコネクタにおいて、作業者が電極に直触れることができない構造とすること、すなわちタッチプロテクト構造とすることが望まれている。【０００５】  そこで、本発明は、タッチプロテクト構造を実現した直付けタイプのコネクタを提供することを目的とする。
【課題を解決するための手段】
【０００６】  本発明は、上記課題を解決することを目的として、板状の第１電極が搭載される第１ハウジングを有する端子台部と、ケーブルの端末に設けられた板状の第２電極と、前記第２電極を収容する第２ハウジングとを有するコネクタ部と、を有し、前記第１ハウジングと前記第２ハウジングとを嵌合させた後に、前記第１電極と前記第２電極とをねじ止め固定することで前記第１電極と前記第２電極とを電気的に接続するコネクタであって、前記コネクタ部は、前記第２ハウジングにスライド可能に設けられると共に、その少なくとも一部が前記第２ハウジングに収容可能に設けられ、非収容時に前記第２電極を覆うように配置される絶縁体からなる端子カバーを有し、前記端子カバーは、前記第１ハウジングと前記第２ハウジングとを嵌合させる際に、前記第１ハウジングにより前記第２ハウジング内に押し込まれ収容されるように構成されている、コネクタを提供する。
【発明の効果】
【０００７】  本発明によれば、タッチプロテクト構造を実現した直付けタイプのコネクタを提供できる。
【図面の簡単な説明】
【０００８】
【図１】本発明の一実施の形態に係るコネクタを示す図であり、（ａ）は平面図、（ｂ）は斜視図である。
【図２】（ａ），（ｂ）は端子台部の斜視図である。
【図３】（ａ）は端子台部の平面図、（ｂ）はその正面図、（ｃ）はその側面図である。
【図４】端子カバーを第２ハウジングから進出させた際のコネクタ部を示すものであり、（ａ）は斜視図、（ｂ）は平面図である。
【図５】端子カバーを第２ハウジングから進出させた際のコネクタ部を示すものであり、（ａ）は正面図、（ｂ）は側面図、（ｃ）は側断面図である。
【図６】端子カバーを第２ハウジング内に収容した際のコネクタ部を示すものであり、（ａ）は斜視図、（ｂ）は平面図である。
【図７】端子カバーを第２ハウジング内に収容した際のコネクタ部を示すものであり、（ａ）は正面図、（ｂ）は側面図、（ｃ）は側断面図である。
【図８】（ａ），（ｂ）は、端子台部とコネクタ部の接続を説明する断面図である。
【図９】端子台部とコネクタ部の接続を説明する断面図である。
【図１０】（ａ），（ｂ）は、端子台部とコネクタ部の接続を説明する断面図である。
【図１１】（ａ），（ｂ）は、端子台部とコネクタ部の接続を説明する断面図である。
【発明を実施するための形態】
【０００９】［実施の形態］  以下、本発明の実施の形態を添付図面にしたがって説明する。
【００１０】（コネクタの全体構成の説明）  図１は、本実施の形態に係るコネクタを示す図であり、（ａ）は平面図、（ｂ）は斜視図である。
【００１１】  図１（ａ），（ｂ）に示すように、コネクタ１は、端子台部２と、コネクタ部３と、を備えている。
【００１２】  端子台部２は、バッテリやインバータ等の機器に取り付けられるものであり、機器に設けられた板状の第１電極４（バスバ端子）が搭載される第１ハウジング５を有している。なお、本実施の形態では、第１電極４が機器側に搭載されている場合を説明するが、第１電極４は第１ハウジング５に一体に設けられていてもよい。また、第１電極４は、ケーブルの端部に設けられたものであってもよい。
【００１３】  コネクタ部３は、ケーブル６の端部に設けられている。コネクタ部３は、ケーブル６の端末に設けられた板状の第２電極（バスバ端子）７と、第２電極７を収容する第２ハウジング８とを有している。
【００１４】  コネクタ１では、端子台部２の第１ハウジング５と、コネクタ部３の第２ハウジング８とを嵌合させると、第１電極４と第２電極７とが重なり合うように配置されるように構成されており、両ハウジング５，８を嵌合させた後に、第１電極４と第２電極７とをねじ止め固定することで、第１電極４と第２電極７とを電気的に接続するように構成されている。つまり、コネクタ１は、直付けタイプのコネクタである。
【００１５】  なお、ここでは、直流の電源信号を伝送する場合を想定して、両電極４，７およびケーブル６をそれぞれ２つずつ有する場合を説明するが、両電極４，７およびケーブル６の本数はこれに限定されるものではない。
【００１６】  以下、各部材の詳細な構造について説明する。
【００１７】（端子台部２の説明）  図２（ａ），（ｂ）は端子台部２の斜視図であり、図３（ａ）はその平面図、図３（ｂ）はその正面図、図３（ｃ）はその側面図である。
【００１８】  図１〜３に示すように、端子台部２の第１ハウジング５は、中空筒状に形成されており、断面視で角を丸めた長方形状に形成されている。以下、図２（ａ）における上下方向を高さ方向、左手前から右奥の方向を長さ方向、右手前から左奥の方向を幅方向という。
【００１９】  第１ハウジング５は、幅方向に対向する２つの側壁５ａ，５ｂと、両側壁５ａ，５ｂの上端部同士および下端部同士を連結し高さ方向に対向する上壁５ｃおよび底壁５ｄを有している。第１ハウジング５は、その長さ方向における両端が開口しており、一方の開口から第１電極４が挿入され、他方の開口からコネクタ部３が挿入されるように構成されている。
【００２０】  第１ハウジング５におけるコネクタ部３挿入側の端部には、第１ハウジング５から外方に突出するフランジ部１０が形成されている。フランジ部１０は、例えば金属からなり、第１ハウジング５は、例えば樹脂からなる。
【００２１】  フランジ部１０には、コネクタ部３をボルト止め固定するための２つのボルト穴１０ａと、端子台部２を図示しない機器の筐体にボルト固定するための６つの筐体固定用穴１０ｂがそれぞれ形成されている。ボルト穴１０ａは、第１ハウジング５の開口を挟み込むように第１ハウジングの幅方向における左右にそれぞれ形成されており、筐体固定用穴１０ｂは、略矩形状に形成されたフランジ部１０の４隅と、高さ方向の両端部における幅方向の中央部にそれぞれ形成されている。
【００２２】  フランジ部１０におけるコネクタ部３の挿入側と反対側の面には、端子台部２を機器の筐体に接続した際に、機器の筐体とフランジ部１０間をシールするシール部材１１が設けられている。
【００２３】  第１ハウジング５の底壁５ｄには、底壁５ｄの内壁から上方（内方）に突出するように、第１電極４を載置する台座１２が一体に形成されている。台座１２には、ねじ止め用のねじを締結する締結穴１３を有する金属からなる締結用部材１４が設けられている。
【００２４】  締結用部材１４の上方の上壁５ｃには、第１電極４の挿入側に開口する切欠き１５が形成されており、この切欠き１５からねじを導入してねじ止め作業を行うように構成されている。
【００２５】  底壁５ｄのコネクタ部３挿入側の端部には台座１２が形成されておらず、台座１２と底壁５ｄとの間に段差１６が形成されている。この段差１６（台座１２のコネクタ部３挿入側の面）が、後述する端子カバー３０を第２ハウジング８内に押し込む役割を果たすことになる。
【００２６】  また、台座１２の幅方向における両側、および台座１２の幅方向における中央部には、上方に突出する壁部１７が形成されている。壁部１７は、第１電極４を第１ハウジング５内に収容する際のガイドの役割、および第１電極４と第２電極７の接続部同士の縁面距離を大きくし、ショート等の不具合を抑制する役割も果たしている。
【００２７】  台座１２と両側壁５ａ，５ｂとの間（壁部１７と両側壁５ａ，５ｂとの間）には隙間１９が形成されており、両ハウジング５，８を嵌合したときに、この隙間１９に第２ハウジング８におけるインナーハウジング８ｂの先端部（突出部３５）が収容されるように構成されている。
【００２８】  両側に形成された壁部１７には、壁部１７からコネクタ部３の挿入側に突出するように、板状の係止解除片１８が一体に形成されている。この係止解除片１８は、第１ハウジング５と第２ハウジング８とを嵌合させる際に、コネクタ部３に設けられた係止手段３７（詳細は後述する）による端子カバー３０の係止を解除する係止解除手段を構成するものである。
【００２９】  係止解除片１８の先端部（コネクタ部３挿入側の端部）には、幅方向における外方に突出する突起部１８ａが一体に形成されている。突起部１８ａは、後述するランス３９を幅方向外側に押し広げるためのものであり、先端ほど幅が狭くなるように傾斜して設けられている。ここでは、上面視で台形状に突起部１８ａを形成した。
【００３０】  係止解除片１８は、第１ハウジング５の外面よりも外方に突出しないように、第１ハウジング５内に形成されている。これは、係止解除片１８は薄い板状に形成されるため、機械的強度が比較的低く、係止解除片１８が第１ハウジング５から突出していると、接続作業中等に突出部分に物が当たるなどして係止解除片１８が破損してしまうおそれがあるためである。
【００３１】  また、第１ハウジング５のコネクタ部３挿入側の端部には、４つの引き出し用係止片２０が一体に設けられている。引き出し用係止片２０は、後述する端子カバー３０を上下から挟み込むように、２つずつが高さ方向に対向するように設けられている。引き出し用係止片２０は、矩形の枠状に形成されており、両ハウジング５，８を嵌合させた際に、端子カバー３０に設けられた引き出し用突起４２（後述する）を係止するように構成されている。引き出し用係止片２０を引き出し用突起４２に係止させることで、両ハウジング５，８の嵌合を解除する際に、自動的に端子カバー３０を第２ハウジング８内から引き出すように構成されている。
【００３２】  詳細は後述するが、本実施の形態では、引き出し用係止片２０は、引き出し用突起４２に係止される際に、高さ方向における外方に変形することで引き出し用突起４２を乗り越えるように構成されている。そのため、引き出し用係止片２０が外方に変形できるように、引き出し用係止片２０を設けた位置の上壁５ｃおよび底壁５ｄには凹部２１がそれぞれ形成されている。また、引き出し用係止片２０の先端側でかつ高さ方向における内方の角部には面取り加工がなされ、引き出し用突起４２を乗り越え易いように構成されている。引き出し用係止片２０は、係止解除片１８と同様に機械的強度が比較的低い部材であるため、破損を抑制するために、第１ハウジング５の外面よりも外方に突出しないように、第１ハウジング５内に形成されている。
【００３３】（コネクタ部３の説明）  図４，５は、端子カバー３０を第２ハウジング８から進出させた際のコネクタ部３を示すものであり、図４（ａ）は斜視図、図４（ｂ）は平面図、図５（ａ）は正面図、図５（ｂ）は側面図、図５（ｃ）は側断面図である。また、図６，７は、端子カバー３０を第２ハウジング８内に収容した際のコネクタ部３を示すものであり、図６（ａ）は斜視図、図６（ｂ）は平面図、図７（ａ）は正面図、図７（ｂ）は側面図、図７（ｃ）は側断面図である。
【００３４】  図１および図４〜７に示すように、コネクタ部３の第２ハウジング８は、アウターハウジング８ａと、アウターハウジング８ａに固定されたインナーハウジング８ｂと、を有している。アウターハウジング８ａは、例えば金属からなり、インナーハウジング８ｂは、例えば樹脂からなる。
【００３５】  アウターハウジング８ａの嵌合方向前方の端部には、端子台部２のフランジ部１０にボルト固定されるフランジ部３１が一体に形成されている。フランジ部３１には、ボルト固定用のボルト（図示せず）を通すための２つのボルト穴３１ａが形成されている。ボルト穴３１ａは、両ハウジング５，８を嵌合した際にボルト穴１０ａと対向する位置に形成されている。またフランジ部３１における嵌合方向前方の面には、コネクタ部３を端子台部２に接続した際に、端子台部２のフランジ部１０との間をシールするシール部材３１ｃが設けられている。
【００３６】  アウターハウジング８ａは、その嵌合方向前方が開口するように形成されており、当該開口からインナーハウジング８ｂの基端部が挿入され、インナーハウジング８ｂの基端部がアウターハウジング８ａ内に収容され固定されている。
【００３７】  また、アウターハウジング８ａの嵌合方向後方の端部には、ケーブル６を挿入するケーブル挿入穴３２が形成されており、ケーブル６とケーブル挿入穴３２との間にはワイヤシール３３が設けられ、ケーブル６を伝って水滴等がハウジング８の内部に侵入しないように構成されている。ケーブル挿入穴３２の開口は、テールキャップ３４により塞がれている。
【００３８】  また、図示していないが、アウターハウジング８ａ内に収容されるインナーハウジング８ｂの基端部は、２連筒状に形成されており、各筒の中空部にケーブル６をそれぞれ収容するように構成されている。
【００３９】  インナーハウジング８ｂは、幅方向の両側部から嵌合方向前方にそれぞれ突出する２つの突出部３５を有している。両突出部３５は、後述する係止手段３７を構成するランス３９と、ランス３９を上下から挟み込むようにランス３９の上下に離間して配置され、後述する端子カバー３０に接触し端子カバー３０のスライドをガイドするガイド部４０と、を有している。
【００４０】  ランス３９は、板状に形成されているため、機械的強度が比較的低い。そこで、本実施の形態では、ランス３９の破損を抑制するために、ガイド部４０の外面よりも幅方向における内側の位置にランス３９を形成している。換言すれば、ランス３９は、第２ハウジング８の外面よりも外方に突出しないように設けられている。
【００４１】  コネクタ部３は、第２ハウジング８にスライド可能に設けられると共に、その少なくとも一部が第２ハウジング８に収容可能に設けられた端子カバー３０を有している。端子カバー３０は、絶縁体からなり、非収容時、すなわち端子カバー３０を第２ハウジング８から進出させた際に、第２電極７の全体を覆うように配置される。本実施の形態では、端子カバー３０は、インナーハウジング８ｂにスライド可能に設けられており、嵌合方向（長さ方向）に沿ってスライド可能に構成されている。
【００４２】  端子カバー３０は、略矩形状に形成されており、その嵌合方向前方の面には、第２電極７を通すための電極挿通穴３６が形成されている。また、端子カバー３０の嵌合方向後方は開口され、当該開口からケーブル６が延出されるように構成されている。ここでは、両第２電極７と対応するように、２つの端子カバー３０を独立して設けている。
【００４３】  端子カバー３０は、非収容とし第２電極７を覆うように配置されたときに、フランジ部３１よりも嵌合方向前方に突出するように配置される。また、端子カバー３０は、第２ハウジング８内に収容したときにも、その嵌合方向前方の一部（先端部）が第２ハウジング８の外部に配置されるように構成されている。
【００４４】  また、コネクタ部３は、第２電極７を覆った状態で端子カバー３０を係止し、端子カバー３０が第２ハウジング８内にスライドすることを規制する係止手段３７を有している。
【００４５】  本実施の形態では、係止手段３７は、端子カバー３０に外方（ここでは側方）に突出するように設けられた係止突起３８と、第２ハウジング８に設けられ、端子カバー３０が第２電極７を覆った状態で係止突起３８に係止する爪部３９ａを有するランス３９と、から構成されている。
【００４６】  係止突起３８は、端子カバー３０の嵌合方向前方の端部に形成され、端子カバー３０の側面から側方に突出するように形成されている。
【００４７】  爪部３９ａは、ランス３９の先端部（嵌合方向前方の端部）から幅方向における内方に突出するように設けられており、端子カバー３０を第２ハウジング８内から引き出して、第２電極７を端子カバー３０で覆った状態としたときに、係止突起３８に係止され、端子カバー３０の嵌合方向後方への移動を規制するように構成されている。
【００４８】  また、本実施の形態では、爪部３９ａは、ランス３９の先端部における上部のみに設けられており、ランス３９の先端部における下部には、先端ほど端子カバー３０から離れるよう内方に傾斜するように形成された係止解除用斜面４１が形成されている。係止解除用斜面４１は、ランス３９の先端部の下部に切り欠きを形成することにより、形成されている。
【００４９】  両ハウジング５，８を嵌合する際には、係止解除片１８（図２（ｂ）参照）が係止解除用斜面４１に当接し、係止解除用斜面４１に沿って第２ハウジング８内に押し込まれる。これにより、係止解除片１８（突起部１８ａ）によりランス３９が外方に押し上げられ、爪部３９ａによる係止が解除されて端子カバー３０が嵌合方向後方にスライド可能となる。コネクタ１では、係止が解除された端子カバー３０は、第１ハウジング５の段差１６により第２ハウジング８に押し込まれ収容されるように構成されている。
【００５０】  端子カバー３０の先端部における上下の面には、外方に突出する引き出し用突起４２が形成されている。引き出し用突起４２は、両ハウジング５，８を嵌合した際に、引き出し用係止片２０（図２（ｂ）参照）に係止され、両ハウジング５，８の嵌合を解除する際に、自動的に端子カバー３０を第２ハウジング８内から引き出す役割を果たす。端子カバー３０の上下に引き出し用突起４２を形成し、端子カバー３０を対向する引き出し用係止片２０で上下から挟み込むように係止するように構成することで、端子カバー３０を引き出し用係止片２０によりしっかりと保持することができ、確実に端子カバー３０を第２ハウジング８内から引き出すことが可能になる。
【００５１】  引き出し用突起４２の角部には面取り加工がなされており、両ハウジング５，８の嵌合時に引き出し用係止片２０が乗り越えやすいようにしている。また、各引き出し用突起４２の両側には、両ハウジング５，８の嵌合時に引き出し用係止片２０をガイドする係止片ガイド突起４３が形成されている。
【００５２】  本実施の形態では、第２ハウジング８内に収容したときに第２ハウジング８の外部に配置される部分の端子カバー３０に引き出し用突起４２を形成しており、両ハウジング５，８を嵌合し端子カバー３０を第２ハウジング８内に収容した際にも、引き出し用突起４２と引き出し用係止片２０の係止が解除されないように構成されている。
【００５３】  また、端子カバー３０の基端部には、端子カバー３０が第２ハウジング８（インナーハウジング８ｂ）から抜けてしまうことを防止する抜け止め用突起４４が形成されている。抜け止め用突起４４は、端子カバー３０の上下の面から外方に突出するように形成されており、インナーハウジング８ｂに長さ方向に沿って形成された溝（切欠き）４５にスライド可能に収容されている。抜け止め用突起４４と溝４５は、端子カバー３０の抜け止めの役割と、端子カバー３０のスライドをガイドする役割とを兼ねている。
【００５４】  インナーハウジング８ｂにおける突出部３５のガイド部４０には、その高さ方向の外方の端部から幅方向における内方に突出するガイド壁４０ａが一体に形成されており、上下のガイド部４０のガイド壁４０ａで端子カバー３０の側端部を上下から挟み込むことで、端子カバー３０のスライドをガイドするように構成されている。これにより、両ハウジング５，８を嵌合させる際に、端子カバー３０が傾いたりするのが抑制され、端子カバー３０がスムーズにスライド可能になる。
【００５５】（端子台部２とコネクタ部３との接続）  端子台部２とコネクタ部３とを接続する際には、まず、図８（ａ），（ｂ）に示すように、両ハウジング５，８を対向させ、第１ハウジング５内に第２ハウジング８を押し込む。
【００５６】  すると、図９に示すように、引き出し用係止片２０が高さ方向における外方に撓みつつ引き出し用突起４２を乗り越え、図１０（ａ），（ｂ）に示すように、引き出し用係止片２０と引き出し用突起４２とが係止される。これと同時に、係止解除片１８がランス３９の係止解除用斜面４１に当接する。
【００５７】  さらに第２ハウジング８を押し込むと、図１１（ａ）、（ｂ）に示すように、係止解除片１８が係止解除用斜面４１に沿って第２ハウジング８内に押し込まれ、これに伴って、係止解除片１８の突起部１８ａがランス３９を幅方向における外方に押し上げられ、爪部３９ａによる端子カバー３０の係止が解除される。
【００５８】  さらに第２ハウジング８を押し込むと、第１ハウジング５の段差１６により端子カバー３０が第２ハウジング８内に押し込まれると共に、第２電極７が電極挿通穴３６を通って端子台部２の台座１２上に挿入される。その後、両フランジ部１０，３１が当接した後に、両フランジ部１０，３１をボルト固定し、両電極４，７をねじ止め固定すると、端子台部２とコネクタ部３との接続が完了する。なお、本実施の形態では、端子台部２の切り欠き１５を閉塞する部材を特に設けていないが、端子台２のフランジ部１０よりも第１電極４挿入側の部分は機器の筐体内に収容されるため外部に露出することがなく、タッチプロテクト構造は維持される。
【００５９】  端子台部２とコネクタ部３との接続を解除する際には、引き出し用係止片２０と引き出し用突起４２の係止により、自動的に第２ハウジング８内から端子カバー３０が引き出され、端子カバー３０が第２電極７を覆った状態でランス３９の爪部３９ａが係止突起３８に係止される。その後、引き出し用係止片２０が引き出し用突起４２を乗り越えて係止が解除され、端子台部２からコネクタ部３が離脱される。
【００６０】  このように、本実施の形態に係るコネクタ１では、接続作業中においても、常に両ハウジング５，８間で第２電極７が露出してしまうことがなく、作業者の安全を確保することが可能である。
【００６１】  なお、ばね等の弾性部材により端子カバー３０を前方に付勢することで、両ハウジング５，８の嵌合を解除した際に端子カバー３０を自動的に第２ハウジング８内から引き出すように構成することも考えられるが、この場合、弾性部材の付勢に対抗しつつ両ハウジング５，８を嵌合させることとなり、接続作業時の作業者への負担が大きくなる。接続作業時の作業者への負担を小さくしようとすると、弾性部材による付勢力を小さくしなければならず、この場合には、端子カバー３０が確実に引き出されないおそれが生じる。本実施の形態のように、引き出し用係止片２０と引き出し用突起４２の係止により、第２ハウジング８内から端子カバー３０を引き出すように構成することで、接続作業を容易にし、かつ、確実に端子カバー３０を引き出すことが可能になる。
【００６２】（実施の形態の作用及び効果）  以上説明したように、本実施の形態に係るコネクタ１では、第１電極４と第２電極７とをねじ止め固定する直付けタイプのコネクタにおいて、コネクタ部３は、第２ハウジング８にスライド可能に設けられると共に、その少なくとも一部が第２ハウジング８に収容可能に設けられ、非収容時に第２電極７を覆うように配置される絶縁体からなる端子カバー３０を有し、端子カバー３０は、第１ハウジング５と第２ハウジング８とを嵌合させる際に、第１ハウジング５により第２ハウジング８内に押し込まれ収容されるように構成されている。
【００６３】  このように構成することで、直付けタイプのコネクタ１においても、タッチプロテクト構造を実現し、接続作業中の感電等の不具合を抑制して作業者の安全を確保することが可能になる。
【００６４】（実施の形態のまとめ）  次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６５】［１］板状の第１電極（４）が搭載される第１ハウジング（５）を有する端子台部（２）と、ケーブル（６）の端末に設けられた板状の第２電極（７）と、前記第２電極（７）を収容する第２ハウジング（８）とを有するコネクタ部（３）と、を有し、前記第１ハウジング（５）と前記第２ハウジング（８）とを嵌合させた後に、前記第１電極（４）と前記第２電極（７）とをねじ止め固定することで前記第１電極（４）と前記第２電極（７）とを電気的に接続するコネクタ（１）であって、前記コネクタ部（３）は、前記第２ハウジング（８）にスライド可能に設けられると共に、その少なくとも一部が前記第２ハウジング（８）に収容可能に設けられ、非収容時に前記第２電極（７）を覆うように配置される絶縁体からなる端子カバー（３０）を有し、前記端子カバー（３０）は、前記第１ハウジング（５）と前記第２ハウジング（８）とを嵌合させる際に、前記第１ハウジング（５）により前記第２ハウジング（８）内に押し込まれ収容されるように構成されている、コネクタ（１）。
【００６６】［２］前記コネクタ部（３）は、前記第２電極（７）を覆った状態で前記端子カバー（３０）を係止し、前記端子カバー（３０）が前記第２ハウジング（８）内にスライドすることを規制する係止手段（３７）を有し、前記端子台部（２）は、前記第１ハウジング（５）と前記第２ハウジング（８）とを嵌合させる際に、前記係止手段（３７）による係止を解除する係止解除手段を有する、［１］に記載のコネクタ（１）。
【００６７】［３］前記係止手段（３７）は、前記端子カバー（３０）に外方に突出するように設けられた係止突起（３８）と、前記第２ハウジング（８）に設けられ、前記端子カバー（３０）が前記第２電極（７）を覆った状態で前記係止突起（３８）に係止する爪部（３９ａ）を有するランス（３９）と、を有し、前記係止解除手段は、前記第１ハウジング（５）に設けられ、前記第１ハウジング（５）と前記第２ハウジング（８）とを嵌合させる際に、前記ランス（３９）を外方に押し上げることで、前記爪部（３９ａ）の前記係止突起（３８）への係止を解除する係止解除片（１８）を有する、［２］に記載のコネクタ（１）。
【００６８】［４］前記ランス（３９）は、その先端部に、先端ほど前記端子カバーから離れるように形成された係止解除用斜面（４１）を有し、前記係止解除片（１８）は、前記第１ハウジング（５）と前記第２ハウジング（８）とを嵌合させる際に、前記ランス（３９）の先端部に形成された前記係止解除用斜面（４１）に当接し、かつ、前記係止解除用斜面（４１）に沿って前記第２ハウジング（８）内に押し込まれることで、前記ランス（３９）を外方に押し上げるように構成されている、［３］に記載のコネクタ（１）。
【００６９】［５］前記ランス（３９）は、前記第２ハウジング（８）の外面よりも外方に突出しないように設けられており、前記係止解除片（１８）は、前記第１ハウジング（５）の外面よりも外方に突出しないように設けられている、［３］または［４］に記載のコネクタ（１）。
【００７０】［６］前記端子カバー（３０）の先端部には、外方に突出する引き出し用突起（４２）が形成され、前記第１ハウジング（５）には、前記引き出し用突起（４２）に係止される引き出し用係止片（２０）が形成され、前記第１ハウジング（５）と前記第２ハウジング（８）とを嵌合させた後に前記嵌合を解除する際に、前記引き出し用係止片（２０）と前記引き出し用突起（４２）との係止により、前記端子カバー（３０）が前記第２ハウジング（８）内から引き出されるように構成されている、［１］乃至［５］の何れか１項に記載のコネクタ（１）。
【００７１】［７］前記第２ハウジング（８）は、前記第１ハウジング（５）に固定されるフランジ部（３１）を有し、前記端子カバー（３０）は、非収容とし前記第２電極（７）を覆うように配置されたときに、前記フランジ部（３１）よりも嵌合方向前方に突出するように構成されている、［１］乃至［６］の何れか１項に記載のコネクタ（１）。
【００７２】  以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７３】  本発明は、その趣旨を逸脱しない範囲で適宜変形して実施することが可能である。
【００７４】  例えば、上記実施の形態では、端子カバー３０の側方に突出するように係止突起３８を形成し、ランス３９の爪部３９ａが側方から係止突起３８に係止されるように構成したが、これに限らず、例えば、係止突起３８が端子カバー３０の上方や下方に突出するように形成され、ランス３９の爪部３９ａが高さ方向の外方から係止突起３８に係止されるように構成してもよい。
【００７５】  また、上記実施の形態では、２つの端子カバー３０を独立して設けたが、２つの端子カバー３０を一体構成としても構わない。なお、端子カバー３０を個々の第２電極７に設けるように独立して設けた場合、例えば、端子の数が異なる複数種類のコネクタ１を形成する場合に、端子カバー３０を共通部品として扱うことが可能になり、コストの低減が可能になる。
【符号の説明】
【００７６】１…コネクタ２…端子台部３…コネクタ部４…第１電極５…第１ハウジング６…ケーブル７…第２電極８…第２ハウジング１８…係止解除片１８ａ…突起部２０…引き出し用係止片３０…端子カバー３７…係止手段３８…係止突起３９…ランス３９ａ…爪部４０…ガイド部４１…係止解除用斜面４２…引き出し用突起
【図１】
2016203588.tif 000003
【図２】
2016203588.tif 000004
【図３】
2016203588.tif 000005
【図４】
2016203588.tif 000006
【図５】
2016203588.tif 000007
【図６】
2016203588.tif 000008
【図７】
2016203588.tif 000009
【図８】
2016203588.tif 000010
【図９】
2016203588.tif 000011
【図１０】
2016203588.tif 000012
【図１１】
2016203588.tif 000013
【国際調査報告】
2016203588.tif 000014
2016203588.tif 000015
2016203588.tif 000016
2016203588.tif 000017